(57)【要約】【課題】電子機器に接続された交流電源コードがコンセントから抜かれた状態にある場合、給電が遮断された電子機器の停止状態を確実に実現して、消費電力を削減することが可能な電源装置及び電子機器を提供する。【解決手段】電圧検出回路１７は、交流電源ＡからＭＰＵ１５に供給される電圧を検出する。バックアップ電源用スイッチ１８は、一端がレギュレータ１４ａ及びＭＰＵ１５の間に接続され、他端がバックアップ用コンデンサ１６に接続されている。電圧検出回路１７により検出された電圧が所定の値より低い場合、ＭＰＵ１５はバックアップ電源用スイッチ１８を切断する。【選択図】図２
2011091944.tif 000002
【特許請求の範囲】
【請求項１】
外部電源から給電される電源回路と、
該電源回路からの給電により蓄電される蓄電部と、
該蓄電部から給電され、内部又は外部の負荷への給電を制御する制御部と
を備える電源装置において、
前記外部電源からの電圧を検出する電圧検出手段と、
前記蓄電部及び制御部の間に介挿されたスイッチと、
前記電圧検出手段により検出された電圧が所定の値より低い場合、前記スイッチを切断するスイッチ切断手段と
を備える
ことを特徴とする電源装置。
【請求項２】
前記蓄電部は、外部の負荷へ給電する給電線を備え、
前記電圧検出手段により検出された電圧が所定の値より低い場合、前記外部の負荷への給電を遮断する外部負荷用スイッチ手段
を備える
ことを特徴とする請求項１に記載の電源装置。
【請求項３】
前記スイッチ切断手段は、
前記外部負荷用スイッチ手段が前記外部の負荷への給電を遮断した場合、前記スイッチを切断するようにしてある
ことを特徴とする請求項２に記載の電源装置。
【請求項４】
請求項２又は請求項３に記載の電源装置と、
消費電力が大きい動作状態及び消費電力が小さい待機状態で前記電源装置の電源回路から給電される電子部品と、
前記蓄電部から給電され、かつ前記電子部品の待機状態を示す発光体と
を備えることを特徴とする電子機器。
【請求項５】
前記電子部品は、映像音声信号を送信する送信器又は受信する受信器を含む
ことを特徴とする請求項４に記載の電子機器。
【発明の詳細な説明】
【技術分野】
【０００１】
本発明は、消費電力を抑える電源装置及び電子機器に関する。
【背景技術】
【０００２】
電子機器が待機状態にある場合、消費電力を抑えるために、電子機器を制御するＭＰＵ（Micro Processing Unit）、待機状態を示す表示ランプ等をバックアップ電源により動作させ、電子機器の主要動作に必要な給電は遮断される。例えば、特許文献１には、待機時の消費電力を極力抑える電源回路が開示されている。
【先行技術文献】
【特許文献】
【０００３】
【特許文献１】特開２０００−４５４７号公報
【発明の概要】
【発明が解決しようとする課題】
【０００４】
しかしながら、特許文献１の電源回路では、電子機器に接続された交流電源コードがコンセントから抜かれた状態であっても、バックアップ電源の放電電圧がＭＰＵの駆動に必要な電圧を下回るまで、待機状態を示す表示ランプが点灯した状態であったり、リモコンからの操作信号を受け付ける状態であったりする。そのため、待機状態を維持することにバックアップ電源が無駄に消費される。
【０００５】
本発明はかかる事情に鑑みてなされたものであり、本発明の目的は、電子機器に接続された交流電源コードがコンセントから抜かれた状態にある場合、給電が遮断された電子機器の停止状態を確実に実現して、消費電力を削減することが可能な電源装置及び電子機器を提供することである。
【課題を解決するための手段】
【０００６】
本発明に係る電源装置は、外部電源から給電される電源回路と、該電源回路からの給電により蓄電される蓄電部と、該蓄電部から給電され、内部又は外部の負荷への給電を制御する制御部とを備える電源装置において、前記外部電源からの電圧を検出する電圧検出手段と、前記蓄電部及び制御部の間に介挿されたスイッチと、前記電圧検出手段により検出された電圧が所定の値より低い場合、前記スイッチを切断するスイッチ切断手段とを備えることを特徴とする。
【０００７】
本発明に係る電源装置は、前記蓄電部は、外部の負荷へ給電する給電線を備え、前記電圧検出手段により検出された電圧が所定の値より低い場合、前記外部の負荷への給電を遮断する外部負荷用スイッチ手段を備えることを特徴とする。
【０００８】
本発明に係る電源装置は、前記スイッチ切断手段は、前記外部負荷用スイッチ手段が前記外部の負荷への給電を遮断した場合、前記スイッチを切断するようにしてあることを特徴とする。
【０００９】
本発明に係る電子機器は、前述の電源装置と、消費電力が大きい動作状態及び消費電力が小さい待機状態で前記電源装置の電源回路から給電される電子部品と、前記蓄電部から給電され、かつ前記電子部品の待機状態を示す発光体とを備えることを特徴とする。
【００１０】
本発明に係る電子機器は、前記電子部品は、映像音声信号を送信する送信器又は受信する受信器を含むことを特徴とする。
【００１１】
本発明にあっては、外部電源から電力供給される電源回路と、電源回路からの電力供給により蓄電される蓄電部と、蓄電部からの電力供給により駆動され、内部又は外部の負荷への電力供給を制御する制御部とを備えている。電圧検出手段は、外部電源からの電圧を検出する。スイッチは、蓄電部及び制御部の間に介挿されている。スイッチ切断手段は、電圧検出手段により検出された電圧が所定の値より低い場合、スイッチを切断する。
【００１２】
本発明にあっては、蓄電部は、外部の負荷へ電力を供給する給電線を備えている。外部負荷用スイッチ手段は、電圧検出手段により検出された電圧が所定の値より低い場合、外部の負荷への電力供給を遮断する。
【００１３】
本発明にあっては、外部負荷用スイッチ手段が外部の負荷への給電を遮断した場合、スイッチ切断手段がスイッチを切断する。
【００１４】
本発明にあっては、前述の電源装置を備えている。電子部品は、消費電力が大きい動作状態及び消費電力が小さい待機状態で電源装置の電源回路から電力供給を受け、発光体は蓄電部から給電を受け、かつ電子部品の待機状態を示す。
【００１５】
本発明にあっては、電子部品は映像音声信号を送信する送信器又は受信する受信器である。
【発明の効果】
【００１６】
本発明によれば、電子機器に接続された交流電源コードがコンセントから抜かれた状態にある場合、給電が遮断された電子機器の停止状態を確実に実現して、消費電力を削減することができる。
【図面の簡単な説明】
【００１７】
【図１】実施の形態１に係る電子機器の構成を示すブロック図である。
【図２】待機電源回路、待機電源制御部及び交流電源監視回路の構成を示すブロック図である。
【図３】交流電源監視回路の回路図である。
【図４】ＨＤＭＩ接続の例を示す説明図である。
【図５】待機中のＭＰＵの処理の手順を示すフローチャートである。
【図６】待機中のＭＰＵの処理の手順を示すフローチャートである。
【図７】ＨＤＭＩ待機終了処理の手順を示すフローチャートである。
【図８】実施の形態２に係る待機電源回路、待機電源制御部及び交流電源監視回路の構成を示すブロック図である。
【図９】実施の形態３に係る待機中のＭＰＵの処理の手順を示すフローチャートである。
【図１０】実施の形態３に係る待機中のＭＰＵの処理の手順を示すフローチャートである。
【発明を実施するための形態】
【００１８】
以下、本発明を実施の形態に係る図面に基づいて詳述する。
実施の形態１
図１は、実施の形態１に係る電子機器の構成を示すブロック図である。
実施の形態１に係る電子機器は、例えばシアターラック（テレビ台）、テレビ、ＤＶＤ（Digital Versatile Disc）プレーヤ、ＢＤ（Blu-ray Disc）プレーヤ及びオーディオ機器等の電子機器である。当該電子機器には、電源装置１が組み込まれている。以下、電子機器は、実施の形態１に係る電源装置１が組み込まれた電子機器を示す。
電源装置１は、電子機器が待機状態である場合、電子機器を制御するＭＰＵ１５へ交流電源Ａを直流電源に変換して供給する待機電源回路１０ａと、待機状態の電源を制御する待機電源制御部１０ｂと、交流電源ＡからＭＰＵ１５へ電源が供給されているか否かＭＰＵ１５が監視するための交流電源監視回路２０と、電子機器が動作状態である場合、電子機器の主要動作に必要な各種回路２ａ、２ｂ、２ｃへ交流電源Ａから直流電源を供給する主電源回路３０とを含んで構成される。交流電源Ａは、商用電源であり、実施の形態１に係る電源装置１と差込プラグ付き電源コードを介して接続される。
【００１９】
図２は、待機電源回路１０ａ、待機電源制御部１０ｂ及び交流電源監視回路２０の構成を示すブロック図である。
待機電源回路１０ａは、待機電源スイッチ１１、サブ電源トランス１２、整流平滑回路１３及びレギュレータ１４ａ、１４ｂを含んで構成される。
待機電源スイッチ１１、サブ電源トランス１２、整流平滑回路１３及び、レギュレータ１４ａは、直列に接続され、レギュレータ１４ｂは、整流平滑回路１３及びレギュレータ１４ａの間から分岐し、レギュレータ１４ａに対して並列に接続されている。
【００２０】
待機電源スイッチ１１は、待機電源回路１０ａに対して、交流電源Ａを供給又は遮断する。待機電源スイッチ１１は、ＭＰＵ１５の制御により切断又は接続される。
【００２１】
サブ電源トランス１２は、一次側と二次側とに所定の巻線を有し、待機電源スイッチ１１を介して入力した交流電力から所定の二次電圧を得るものである。
整流平滑回路１３は、整流回路及び電解コンデンサからなる。整流平滑回路１３は、サブ電源トランス１２の二次巻線に発生する交流電力に対して、整流及び平滑を行い、得られた直流電力をレギュレータ１４ａ、１４ｂへ出力する。
レギュレータ１４ａは、受け付けた直流電力をさらに安定化して、待機電源制御部１０ｂのＭＰＵ１５へ供給する。レギュレータ１４ｂは、受け付けた直流電力をさらに安定化して、ＨＤＭＩ（High-Definition Multimedia Interface）送受信部１９へ供給する。
【００２２】
待機電源制御部１０ｂは、ＭＰＵ１５、バックアップ用コンデンサ（蓄電部）１６、電圧検出回路１７及びバックアップ電源用スイッチ１８を含んで構成される。
ＭＰＵ１５は、電子機器全般の制御を行う構成部であり、待機電源スイッチ１１、バックアップ電源用スイッチ１８等の各スイッチの切断又は接続も行う。また、ＭＰＵ１５は、ＨＤＭＩコネクタ３を介して接続された外部機器からのＣＥＣ（Consumer Electronics Control）コマンドを監視している。
【００２３】
バックアップ用コンデンサ１６は、例えば電気２重層コンデンサであり、電子機器が待機状態である場合にＭＰＵ１５、ＬＥＤ（Light Emitting Diode）４、リモコン（リモートコントローラ）受光部５等へ電力を供給する。バックアップ用コンデンサ１６の一接続点はバックアップ電源用スイッチ１８に接続され、他接続点は接地されている。バックアップ用コンデンサ１６は、バックアップ電源の一例であり、例えば充電可能な二次電池を用いてもよい。
【００２４】
電圧検出回路１７は、ＭＰＵ１５がバックアップ用コンデンサ１６の充電電力量を検出するための回路である。電圧検出回路１７の一接続点はバックアップ用コンデンサ１６に接続され、他接続点はＭＰＵ１５に接続されている。
バックアップ電源用スイッチ１８は、一端はレギュレータ１４ａ及びＭＰＵ１５の間に接続され、他端はバックアップ用コンデンサ１６に接続されている。バックアップ電源用スイッチ１８は、ＭＰＵ１５の制御により切断又は接続される。バックアップ電源用スイッチ１８は、例えばトランジスタスイッチであってもよい。
【００２５】
レギュレータ１４ｂ及びＨＤＭＩ送受信部１９は、待機電源回路１０ａの整流平滑回路１３及びレギュレータ１４ａの間から分岐して、直列に接続されている。
ＨＤＭＩ送受信部１９は、外部機器との間で入出力するデジタルの映像又は音声信号をＨＤＭＩ規格に準拠した形式の映像又は音声信号に変換する。
【００２６】
ＬＥＤ４は、電子機器が待機状態である場合に点灯するランプである。
リモコン受光部５は、外部のリモコンから電子機器を操作する赤外線信号を受信し、電気信号に変換してＭＰＵ１５へ出力する。
ＬＥＤ４及びリモコン受光部５は、電子機器が待機状態である場合、ＭＰＵ１５を経由してバックアップ用コンデンサ１６の電力により駆動される。
あるいは、ＬＥＤ４及びリモコン受光部５は、電子機器が待機状態である場合、ＭＰＵ１５を経由して、バックアップ用コンデンサ１６の電力により駆動されてもよい。
バックアップ用コンデンサ１６からＬＥＤ４及びリモコン受光部５への給電は、ＭＰＵ１５により制御される。
図２において、太線はバックアップ用コンデンサ１６からＬＥＤ４及びリモコン受光部５への給電線１０ｂ１を示している。
【００２７】
図３は、交流電源監視回路２０の回路図である。
交流電源監視回路２０は、整流平滑回路２３及び分圧回路２４を含んで構成される。整流平滑回路２３は、整流回路及び平滑回路からなり、夫々整流及び平滑を行う。
整流回路は、４個のダイオード２３ａ、２３ｂ、２３ｃ、２３ｄからなるダイオードブリッジである。ダイオード２３ａ、２３ｂは、ダイオード２３ａのアノードとダイオード２３ｂのカソードとで直列に接続されている。ダイオード２３ｃ、２３ｄは、ダイオード２３ｃのアノードとダイオード２３ｄのカソードとで直列に接続されている。
【００２８】
交流電源Ａの入力端子ｉｎ１は、ダイオード２３ａ、２３ｂの中間接続点に接続され、交流電源Ａの他の入力端子ｉｎ２は、ダイオード２３ｃ、２３ｄの中間接続点に接続されている。また、ダイオード２３ａのカソードは、ダイオード２３ｃのカソードと接続され、ダイオード２３ｂのアノードはダイオード２３ｄのアノードと接続されている。
平滑回路は、整流回路に並列接続された１個の電解コンデンサ２３ｅを備えている。電解コンデンサ２３ｅの陽極端子はダイオード２３ａ、２３ｃのカソードに接続され、陰極端子はダイオード２３ｂ、２３ｄのアノードに接続されている。
【００２９】
分圧回路２４は、整流平滑回路２３から出力された電圧を分圧する電気抵抗器２４ａ、２４ｂを備えている。電気抵抗器２４ａ、２４ｂは、電解コンデンサ２３ｅの陽極端子と接地電位との間に直列に接続され、電気抵抗器２４ａ、２４ｂの接続接点は、ＭＰＵ１５に直流電圧を供給する出力端子ｏｕｔに接続されている。分圧回路２４は、整流された直流電圧をＭＰＵ１５に入力可能な電圧まで下げる。
【００３０】
ＭＰＵ１５は、ＭＰＵ１５が受け付けた交流電源監視回路２０の直流電圧を監視することにより、電子機器に接続された交流電源コードがコンセントから抜かれた状態にあるか否か判断する。すなわち、ＭＰＵ１５は、交流電源監視回路２０を介して交流電源Ａが電源装置１に入力されているか否か判断する。
【００３１】
図１に示すように、主電源回路３０は、主電源スイッチ３１、電源トランス３２、整流平滑回路３３ａ、３３ｂ、３３ｃ、レギュレータ３４ａ、３４ｂ、３４ｃを含んで構成される。主電源スイッチ３１及び電源トランス３２は直列に接続され、各整流平滑回路３３ａ、３３ｂ、３３ｃ及び各レギュレータ３４ａ、３４ｂ、３４ｃも直列に接続されている。整流平滑回路３３ａ及びレギュレータ３４ａ、整流平滑回路３３ｂ及びレギュレータ３４ｂ、整流平滑回路３３ｃ及び各レギュレータ３４ｃは電源トランス３２から分岐して、並列に接続されている。
【００３２】
主電源スイッチ３１は、主電源回路３０に対して、交流電源Ａを供給又は遮断する。主電源スイッチ３１は、ＭＰＵ１５の制御により切断又は接続される。
電源トランス３２は、一次側と二次側とに所定の巻線を有し、主電源スイッチ３１を介して入力した交流電力から所定の二次電圧を得るものである。
主電源回路３０の電源トランス３２及び待機電源回路１０ａのサブ電源トランス１２は、共に電圧変換機能を有する構成部の例示であり、例えば電圧を変換するトランジスタであってもよい。
【００３３】
整流平滑回路３３ａ、３３ｂ、３３ｃは、夫々整流回路及び電解コンデンサからなる。整流平滑回路３３ａ、３３ｂ、３３ｃは、電源トランス３２の二次巻線に発生する交流電力に対して、整流及び平滑を行い、得られた直流電力を夫々レギュレータ３４ａ、３４ｂ、３４ｃへ出力する。
レギュレータ３４ａ、３４ｂ、３４ｃは、受け付けた直流電力をさらに安定化して、各種回路へ供給する。
なお、待機電源スイッチ１１、バックアップ電源用スイッチ１８及び主電源スイッチ３１は、リレースイッチでもよいし、半導体スイッチでもよい。
【００３４】
次に、実施の形態１に係る電源装置１の動作について説明する。
ＭＰＵ１５は交流電源監視回路２０を介して交流電源Ａが電源装置１に入力されているか常に監視している。ユーザが電子機器の主電源をオフする操作をして、この電子機器が動作状態から待機状態へ遷移した場合、ＭＰＵ１５は交流電源Ａが電源装置１に入力されているか否か判断する。ＭＰＵ１５は、交流電源Ａが電源装置１に入力されていないと判断した場合、電子機器の終了処理を行う。この終了処理は、例えば音声ラインのミュート、電子機器の現状態のメモリへの格納、表示装置への電源供給が遮断されることの表示、電源スイッチの制御等である。また、ＭＰＵ１５はＬＥＤ４の消灯、リモコン受光部５からの信号受付停止等の処理を行う。これにより、電子機器は交流電源Ａが切断された停止状態を確実に実現することができる。
【００３５】
その後、ＭＰＵ１５は、バックアップ電源用スイッチ１８を切断する。これにより、バックアップ用コンデンサ１６の荷電減少が阻止され、次回のバックアップ用コンデンサ１６の充電に要する消費電力が削減される。
【００３６】
電子機器が動作状態から待機状態へ遷移し、ＭＰＵ１５により交流電源Ａが電源装置１に入力されていると判断された場合、ＭＰＵ１５は主電源回路３０の主電源スイッチ３１を切断する。これにより、消費電力は大幅に減少する。
【００３７】
主電源回路３０の主電源スイッチ３１が切断され、待機状態に入る場合、本来ならば省電のために、待機電源回路１０ａの待機電源スイッチ１１も切断すべきである。しかし、ＨＤＭＩ送受信部１９を動作させておくモードへのＣＥＣコマンドが入力された場合、その動作の電力確保のために、終了のＣＥＣコマンドが入力されるまで、待機電源回路１０ａの待機電源スイッチ１１は切断すべきではない。また、バックアップ用コンデンサ１６の充電が待機状態のＭＰＵ１５を動作させるのに十分でない場合、バックアップ用コンデンサ１６を充電してから待機電源回路１０ａの待機電源スイッチ１１を切断すべきである。
【００３８】
図４は、ＨＤＭＩ接続の例を示す説明図である。
上記のＨＤＭＩ送受信部１９を動作させておくモードとは、例えば図４のシアターラック７に該当する状態である。ＢＤプレーヤ６とシアターラック７とがＨＤＭＩコネクタ６ａ、７ａを介して接続され、シアターラック７とテレビ８とがＨＤＭＩコネクタ７ｂ、８ａを介して接続された状態で、ＢＤプレーヤ６の再生が開始される。ＢＤプレーヤ６の映像信号は、シアターラック７を通過してテレビ８に送信され、テレビ８にＢＤプレーヤ６の再生映像が表示される。
シアターラック７が実施の形態１に係る電源装置１を搭載した電子機器である場合に、待機電源スイッチ１１を切断するとき、ＨＤＭＩ送受信部１９への給電が遮断されるため、映像信号はＢＤプレーヤ６からテレビ８へ送信されなくなる。
【００３９】
主電源回路３０の主電源スイッチ３１を切断した待機状態であっても、ＨＤＭＩコネクタ３で接続された外部機器からのＣＥＣコマンドに対応するために、ＭＰＵ１５はＣＥＣコマンドの入力を監視している。ＨＤＭＩ送受信部１９を動作させておくモードへのＣＥＣコマンドが入力された場合、ＭＰＵ１５は待機電源スイッチ１１を接続した状態に維持する。そして、ＨＤＭＩの終了のＣＥＣコマンドが入力された場合、ＭＰＵ１５は以下の処理に移行する。また、ＨＤＭＩ送受信部１９を動作させておくモードへのＣＥＣコマンドが入力されない場合も、ＭＰＵ１５は以下の処理に移行する。
【００４０】
ＭＰＵ１５は、バックアップ電源用スイッチ１８を切断し、電圧検出回路１７を介して、バックアップ用コンデンサ１６の電圧を検出する。ＭＰＵ１５は、バックアップ用コンデンサ１６の充電が検出した電圧から十分であると判断した場合、バックアップ電源用スイッチ１８を接続し、待機電源回路１０ａの待機電源スイッチ１１を切断する。一方、ＭＰＵ１５は、バックアップ用コンデンサ１６の充電が検出した電圧から十分でないと判断した場合、バックアップ電源用スイッチ１８を接続し、一定時間バックアップ用コンデンサ１６を充電してから、待機電源回路１０ａの待機電源スイッチ１１を切断する。
【００４１】
図５及び図６は、待機中のＭＰＵの処理の手順を示すフローチャートである。
ＭＰＵ１５は、電子機器の主電源オフ操作を受け付ける（ステップＳ５０１）。ＭＰＵ１５は、ＭＰＵ１５に交流電源Ａから電源が入力されているか否か判断する（ステップＳ５０２）。ＭＰＵ１５は、ＭＰＵ１５に交流電源Ａから電源が入力されていないと判断した場合（ステップＳ５０２：ＮＯ）、終了処理をする（ステップＳ５０３）。ＭＰＵ１５は、バックアップ電源用スイッチ１８を切断して（ステップＳ５０４）、処理を終える。
【００４２】
終了処理を行うことにより、交流電源コードがコンセントから抜かれているにもかかわらず、ＬＥＤ４が点灯を継続したり、リモコンからの制御信号に応答して何らかの処理をＭＰＵ１５が実行することを阻止することができる。
また、バックアップ電源用スイッチ１８の切断により、これ以上バックアップ用コンデンサ１６の電力が消費されないようにすることができる。このことは、消費電力削減に資する。
【００４３】
ＭＰＵ１５は、ＭＰＵ１５に交流電源Ａから電源が入力されていると判断した場合（ステップＳ５０２：ＹＥＳ）、主電源スイッチ３１を切断する（ステップＳ５０５）。ＭＰＵ１５は、ＨＤＭＩ待機終了処理を実行する（ステップＳ５０６）。
【００４４】
ＭＰＵ１５は、バックアップ電源用スイッチ１８を切断する（ステップＳ５０７）。ＭＰＵ１５は、バックアップ用コンデンサ１６の電圧が所定の値以上か否か判断する（ステップＳ５０８）。ＭＰＵ１５は、バックアップ用コンデンサ１６の電圧が所定の値以上ではないと判断した場合（ステップＳ５０８：ＮＯ）、バックアップ電源用スイッチ１８を接続する（ステップＳ５０９）。ＭＰＵ１５は、所定時間待機し（ステップＳ５１０）、ステップＳ５０７へ処理を戻す。ステップＳ５１０の間、バックアップ用コンデンサ１６の充電が行われる。
【００４５】
ＭＰＵ１５は、バックアップ用コンデンサ１６の電圧が所定の値以上であると判断した場合（ステップＳ５０８：ＹＥＳ）、バックアップ電源用スイッチ１８を接続する（ステップＳ５１１）。ＭＰＵ１５は、待機電源スイッチ１１を切断する（ステップＳ５１２）。ＭＰＵ１５は、バックアップ用コンデンサ１６の電圧が所定の値以上か否か判断する（ステップＳ５１３）。ＭＰＵ１５は、バックアップ用コンデンサ１６の電圧が所定の値以上であると判断した場合（ステップＳ５１３：ＹＥＳ）、ステップＳ５１３へ処理を戻す。ＭＰＵ１５は、バックアップ用コンデンサ１６の電圧が所定の値以上ではないと判断した場合（ステップＳ５１３：ＮＯ）、待機電源スイッチ１１を接続して（ステップＳ５１４）、ステップＳ５０７へ処理を戻す。
【００４６】
ステップＳ５０７からステップＳ５１４までの処理により、バックアップ用コンデンサ１６の自動充電が行われる。また、バックアップ用コンデンサ１６の充電が十分である場合には、待機電源スイッチ１１を切断することにより、交流電源Ａの省電が行われる。
【００４７】
図７は、ＨＤＭＩ待機終了処理の手順を示すフローチャートである。図７の手順は、電子機器が待機状態にあっても、ＨＤＭＩコネクタ３で接続された外部機器からのＣＥＣコマンドに対応する処理の手順である。
ＭＰＵ１５は、ＨＤＭＩ送受信部１９を動作させておくＣＥＣコマンド入力があるか否か判断する（ステップＳ７１）。ＭＰＵ１５は、ＨＤＭＩ送受信部１９を動作させておくＣＥＣコマンドの入力がないと判断した場合（ステップＳ７１：ＮＯ）、ステップＳ５０７へ処理を復帰させる。
【００４８】
ＭＰＵ１５は、ＨＤＭＩ送受信部１９を動作させておくＣＥＣコマンドの入力があると判断した場合（ステップＳ７１：ＹＥＳ）、待機電源スイッチ１１の接続状態を維持する（ステップＳ７２）。ＭＰＵ１５は、ＨＤＭＩ送受信部１９の動作を終了させるＣＥＣコマンドの入力があるか否か判断する（ステップＳ７３）。ＭＰＵ１５は、ＨＤＭＩ送受信部１９の動作を終了させるＣＥＣコマンドの入力がないと判断した場合（ステップＳ７３：ＮＯ）、ステップＳ７３へ処理を戻す。ＭＰＵ１５は、ＨＤＭＩ送受信部１９の動作を終了させるＣＥＣコマンドの入力があると判断した場合（ステップＳ７３：ＹＥＳ）、ステップＳ５０７へ処理を復帰させる。
【００４９】
ＨＤＭＩ送受信部１９の動作を終了させるＣＥＣコマンドの入力があるまで、待機電源スイッチ１１を接続した状態にしているので、ＭＰＵ１５はＨＤＭＩコネクタ３で接続された外部機器からのＣＥＣコマンド要求に対応することができる。
【００５０】
実施の形態１に係る電源装置１によれば、電子機器に接続された交流電源コードがコンセントから抜かれた状態にある場合、終了処理をした後に、バックアップ電源用スイッチ１８を切断することにより、バックアップ用コンデンサ１６の電力消費が停止され、省電効果を奏する。
省電のために、夜間は電子機器に接続された交流電源コードをコンセントから抜くユーザに対して、交流電源コードがコンセントから抜かれているにもかかわらず、待機状態を示す表示ランプが点灯した状態であることは、奇異な印象を抱かせる。そのため、電子機器の交流電源コードが抜かれているにもかかわらず、ＬＥＤ４が点灯した状態を維持している場合、ユーザは電子機器の主電源を入れる操作をするかも知れない。かかる場合、ＭＰＵ１５は電子機器のパワーオン処理を実行しようとするが、交流電源Ａが入力されていないため、パワーオン処理を完了することができない。実施の形態１に係る電源装置１によれば、電子機器の交流電源コードがコンセントから抜かれた場合、ＬＥＤ４は消灯されるため、ユーザが電子機器の主電源を入れる操作を行うことはほとんどなくなる。
【００５１】
実施の形態２
実施の形態２は、実施の形態１に係る電源装置１のバックアップ電源用スイッチよりもよりバックアップ用コンデンサ１６に近い位置に新たな切断スイッチを追加する形態に関する。
図８は、実施の形態２に係る待機電源回路１０ａ、待機電源制御部１０ｂ及び交流電源監視回路２０の構成を示すブロック図である。切断スイッチ１８ａの一端はバックアップ電源用スイッチ１８及び電圧検出回路１７の間に接続され、他端はバックアップ用コンデンサ１６に接続されている。
【００５２】
切断スイッチ１８ａは、例えばトランジスタスイッチであり、ＭＰＵ１５の制御により切断又は接続される。
実施の形態２では、図５のステップＳ５０４の処理が実施の形態１と異なる。実施の形態１ではＭＰＵ１５がバックアップ電源用スイッチ１８を切断するが、実施の形態２ではＭＰＵ１５が切断スイッチ１８ａを切断する。
【００５３】
実施の形態１の場合、バックアップ電源用スイッチ１８を切断しても、電圧検出回路１７がバックアップ用コンデンサ１６の充電電力を消費する。そこで、バックアップ用コンデンサ１６及び電圧検出回路１７の間に介挿された切断スイッチ１８ａを切断することにより、電圧検出回路１７がバックアップ用コンデンサ１６の充電電力を消費することはなくなる。
これにより、後に電子機器の交流電源コードがコンセントにさされた場合の省電効果が高まる。
バックアップ用コンデンサ１６の充電が十分な場合、待機電力を０．０１Ｗ程度に削減することができる。しかし、実施の形態１乃至２の構成を採らない場合、待機電力は０．２Ｗ程度である。
【００５４】
実施の形態２は以上の如き構成としてあり、その他の構成及び作用は実施の形態１と同様であるので、対応する部分には同一の参照番号を付してその詳細な説明を省略する。
【００５５】
実施の形態３
実施の形態３は、電子機器の待機状態においてバックアップ用コンデンサ１６が自動充電されている間に交流電源コードがコンセントから抜かれた場合、省電を実行する形態に関する。
【００５６】
電子機器が待機状態にある場合、バックアップ用コンデンサ１６の自動充電が行われる。しかし、この自動充電中にユーザが交流電源コードをコンセントから抜くかも知れない。かかる場合、バックアップ電源用スイッチ１８は接続状態にあるため、バックアップ用コンデンサ１６の電源が無駄に放電されてしまう。そこで、実施の形態４では、バックアップ用コンデンサ１６の自動充電中も、交流電源コードをコンセントから抜かれたか監視し、交流電源コードをコンセントから抜かれたと判断した場合、終了処理をして、バックアップ電源用スイッチ１８を切断する。
【００５７】
図９及び図１０は、実施の形態３に係る待機中のＭＰＵの処理の手順を示すフローチャートである。
ＭＰＵ１５は、実施の形態３に係る電源装置１が搭載された電子機器の主電源オフ操作を受け付ける（ステップＳ９０１）。ＭＰＵ１５は、ＭＰＵ１５に交流電源Ａから電源が入力されているか否か判断する（ステップＳ９０２）。ＭＰＵ１５は、ＭＰＵ１５に交流電源Ａから電源が入力されていないと判断した場合（ステップＳ９０２：ＮＯ）、終了処理及びバックアップ電源用スイッチ切断処理をして（ステップＳ９０３）、処理を終える。図９のステップＳ９０３は、図５のステップＳ５０３及びステップＳ５０４をまとめて、簡略表示したものである。
【００５８】
ＭＰＵ１５は、ＭＰＵ１５に交流電源Ａから電源が入力されていると判断した場合（ステップＳ９０２：ＹＥＳ）、主電源スイッチ３１を切断する（ステップＳ９０４）。ＭＰＵ１５は、ＨＤＭＩ待機終了処理を実行する（ステップＳ９０５）。ステップＳ９０５は、図５におけるステップＳ５０６と同一である。
【００５９】
ＭＰＵ１５は、バックアップ電源用スイッチ１８を切断する（ステップＳ９０６）。ＭＰＵ１５は、バックアップ用コンデンサ１６の電圧が所定の値以上か否か判断する（ステップＳ９０７）。ＭＰＵ１５は、バックアップ用コンデンサ１６の電圧が所定の値以上ではないと判断した場合（ステップＳ９０７：ＮＯ）、バックアップ電源用スイッチ１８を接続する（ステップＳ９０８）。ＭＰＵ１５は、所定時間待機し（ステップＳ９０９）、ステップＳ９１６へ処理を移行する。ステップＳ９０９の間、バックアップ用コンデンサ１６の充電が行われる。
【００６０】
ＭＰＵ１５は、バックアップ用コンデンサ１６の電圧が所定の値以上であると判断した場合（ステップＳ９０７：ＹＥＳ）、バックアップ電源用スイッチ１８を接続する（ステップＳ９１０）。ＭＰＵ１５は、待機電源スイッチ１１を切断する（ステップＳ９１１）。ＭＰＵ１５は、バックアップ用コンデンサ１６の電圧が所定の値以上か否か判断する（ステップＳ９１２）。ＭＰＵ１５は、バックアップ用コンデンサ１６の電圧が所定の値以上ではないと判断した場合（ステップＳ９１２：ＮＯ）、待機電源スイッチ１１を接続して（ステップＳ９１３）、ステップＳ９１６へ処理を移行する。
【００６１】
ＭＰＵ１５は、バックアップ用コンデンサ１６の電圧が所定の値以上であると判断した場合（ステップＳ９１２：ＹＥＳ）、ＭＰＵ１５に交流電源Ａから電源が入力されているか否か判断する（ステップＳ９１４）。ＭＰＵ１５は、ＭＰＵ１５に交流電源Ａから電源が入力されていると判断した場合（ステップＳ９１４：ＹＥＳ）、ステップＳ９１２へ処理を戻す。ＭＰＵ１５は、ＭＰＵ１５に交流電源Ａから電源が入力されていないと判断した場合（ステップＳ９１４：ＮＯ）、終了処理及びバックアップ電源用スイッチ切断処理をして（ステップＳ９１５）、処理を終える。
【００６２】
ＭＰＵ１５は、ステップＳ９０９及びステップＳ９１３の後に、ステップＳ９１６を実行する。ＭＰＵ１５は、ＭＰＵ１５に交流電源Ａから電源が入力されているか否か判断する（ステップＳ９１６）。ＭＰＵ１５は、ＭＰＵ１５に交流電源Ａから電源が入力されていると判断した場合（ステップＳ９１６：ＹＥＳ）、ステップＳ９０６へ処理を戻す。ＭＰＵ１５は、ＭＰＵ１５に交流電源Ａから電源が入力されていないと判断した場合（ステップＳ９１６：ＮＯ）、終了処理及びバックアップ電源用スイッチ切断処理をして（ステップＳ９１７）、処理を終える。
【００６３】
図１０のステップＳ９０６から始まり、ステップＳ９０６へ戻ってくる繰り返し処理では、バックアップ用コンデンサ１６の充電が行われる。すなわち、バックアップ用コンデンサ１６の電圧が所定の値以上でない場合（ステップＳ９０７、ステップＳ９１２）、バックアップ電源用スイッチ１８を接続して、バックアップ用コンデンサ１６を充電する（ステップＳ９０９）。バックアップ用コンデンサ１６の充電中に、あるいはその前後に、ユーザが交流電源コードをコンセントから抜いた場合（ステップＳ９１６：ＮＯ）、終了処理をして、バックアップ電源用スイッチ１８を切断する。
これにより、バックアップ用コンデンサ１６の電力が減少するのを防ぐことができる。
【００６４】
バックアップ用コンデンサ１６の電圧が所定の値以上と判断された場合でも、バックアップ用コンデンサ１６の電圧は少しずつ減少していく。そこで、バックアップ電源用スイッチ１８を接続状態にして、バックアップ用コンデンサ１６の電圧が所定の値を下回らないか監視している（ステップＳ９１２）。この監視中にユーザが交流電源コードをコンセントから抜いた場合（ステップＳ９１４：ＮＯ）、終了処理をして、バックアップ電源用スイッチ１８を切断する。
これにより、バックアップ用コンデンサ１６の電力が減少するのを防ぐことができる。
【００６５】
実施の形態３に係る電源装置１によれば、電子機器が待機状態にあり、バックアップ用コンデンサ１６の自動充電中にユーザが交流電源コードをコンセントから抜いた場合であっても、終了処理をした後に、バックアップ電源用スイッチ１８を切断することにより、バックアップ用コンデンサ１６の電力消費が停止され、省電効果を奏する。
【００６６】
実施の形態３は以上の如き構成としてあり、その他の構成及び作用は実施の形態１と同様であるので、対応する部分には同一の参照番号を付してその詳細な説明を省略する。
【００６７】
本実施の形態１乃至３は、何れも本発明を実施するにあたっての具体化の一例を示したものに過ぎず、これによって本発明の技術的範囲が限定的に解釈されてはならないものである。すなわち、本発明はその精神又はその主要な特徴から逸脱することなく、様々な形で実施することができる。
【符号の説明】
【００６８】
１      電源装置
１０ａ  待機電源回路
１０ｂ  待機電源制御部
１２    サブ電源トランス
１３    整流平滑回路
１４ａ  レギュレータ
１５    ＭＰＵ（内部の負荷）
１６    バックアップ用コンデンサ
１８    バックアップ電源用スイッチ
１８ａ  切断スイッチ
２０    交流電源監視回路（電圧検出手段）
４      ＬＥＤ（外部の負荷、発光体）
５      リモコン受光部（外部の負荷）
【図１】
2011091944.tif 000003
【図２】
2011091944.tif 000004
【図３】
2011091944.tif 000005
【図４】
2011091944.tif 000006
【図５】
2011091944.tif 000007
【図６】
2011091944.tif 000008
【図７】
2011091944.tif 000009
【図８】
2011091944.tif 000010
【図９】
2011091944.tif 000011
【図１０】
2011091944.tif 000012